(57)【要約】      （修正有）【課題】電池付属品をキャッププレートの上部に安定的に置くことのできる構造を有するリチウムイオン二次電池を提供する。【解決手段】電極組立体と、電極組立体が収容される缶と、キャッププレート１１０及びキャッププレート１１０と絶縁された電極端子を備え、缶の開放された上部を覆うように結合されるキャップ組立体と、キャップ組立体の上側に結合される電池付属品と、を含むリチウムイオン二次電池において、キャッププレートの上面には、対向する電池付属品の段差構造部に対して相補的に結合される少なくとも一つの段差部３３０が形成される。【選択図】図３ａ
2006120638.tif 000002
【特許請求の範囲】
【請求項１】
第１の電極、第２の電極、及び当該第１の電極と第２の電極との間に介在されるセパレータが配置された電極組立体と、
前記電極組立体が収容される缶と、
キャッププレート及び当該キャッププレートと絶縁された電極端子を備え、前記缶の開放された上部を封止するように結合されるキャップ組立体と、
前記キャップ組立体の上側に結合される電池付属部品と、を含むリチウムイオン二次電池において、
前記キャッププレートの上面には、対向する前記電池付属品の段差構造部に対して相補的に結合される少なくとも一つの段差部が形成されることを特徴とするリチウムイオン二次電池。
【請求項２】
前記段差部は、プレス加工によってコンフォーマルに形成され、
前記段差部が形成される前記キャッププレートの上面に対応する当該キャッププレートの下面にも相補的な形態の下面側段差部が形成されることを特徴とする請求項１に記載のリチウムイオン二次電池。
【請求項３】
前記段差部は、鋳造またはダイキャスティング法によって形成され、
前記段差部が形成された位置における前記キャッププレートの下面は、平面であることを特徴とする請求項１に記載のリチウムイオン二次電池。
【請求項４】
前記段差部は、所定の形状に形成された部材を前記キャッププレートの上面に接着して形成されることを特徴とする請求項１に記載のリチウムイオン二次電池。
【請求項５】
前記段差部は、前記電極端子と同一の高さで前記キャッププレートの上面に突出して形成されることを特徴とする請求項１に記載のリチウムイオン二次電池。
【請求項６】
前記段差部は、前記電極端子と異なる極性の電極端子であって、前記電池付属品の段差構造部と電気的に接続されることを特徴とする請求項１に記載のリチウムイオン二次電池。
【請求項７】
前記段差部と前記段差構造部とが接する部分には、接触抵抗を減らすための媒介層が形成されることを特徴とする請求項６に記載のリチウムイオン二次電池。
【請求項８】
前記段差部は、前記キャッププレートの周縁部に沿って、Ｕ字形状に形成されることを特徴とする請求項１に記載のリチウムイオン二次電池。
【請求項９】
前記段差部は、前記キャッププレートの長手方向の両端部に、コの字形状に形成されることを特徴とする請求項１に記載のリチウムイオン二次電池。
【請求項１０】
前記段差部は、前記キャッププレートの長手方向に沿った両側端部に、Ｉ字形状に形成されることを特徴とする請求項１に記載のリチウムイオン二次電池。
【請求項１１】
前記段差部は、前記キャッププレートの四隅のうちの少なくとも一つに、Ｌ字形状に形成されることを特徴とする請求項１に記載のリチウムイオン二次電池。
【請求項１２】
前記電池付属品は、絶縁ワッシャー、キャップカバー、及び保護回路組立体のうちの一つであることを特徴とする請求項１に記載のリチウムイオン二次電池。
【請求項１３】
第１の電極、第２の電極、及び当該第１の電極と第２の電極との間に介在されるセパレータを備える電極組立体と、
前記電極組立体が収容される缶と、
前記缶の上部開口部を封止するキャッププレート及び当該キャッププレートの通孔に当該キャッププレートと絶縁されるように設けられた一つの電極端子を有したキャップ組立体と、を含んでなるリチウムイオン二次電池において、
前記キャッププレートの上面には、少なくとも一つの段差部が形成されることを特徴とするリチウムイオン二次電池。
【発明の詳細な説明】
【技術分野】
【０００１】
本発明は、リチウムイオン二次電池に関するもので、より詳細には、電池本体のキャッププレートの上側に別個の電池付属品（Ａｃｃｅｓｓｏｒｉｅｓ）が結合されるリチウムイオン二次電池に関するものである。
【背景技術】
【０００２】
通常的に、二次電池は、充電できない一次電池とは異なり、充電及び放電できる電池を言い、ニッケル水素（Ｎｉ−ＭＨ）電池、リチウム（Ｌｉ）電池、及びリチウムイオン（Ｌｉ−ｉｏｎ）電池などが二次電池として多く使われている。
【０００３】
このような二次電池は、電解液の種類によって、液体電解質電池と、高分子電解質電池とに分類され、液体電解質を使う電池は、リチウムイオン電池と称し、高分子電解質を使う電池をリチウムポリマー電池と称する。また、リチウムイオン二次電池は、様々な形状に製造されており、代表的な形状としては、円筒形、角形、及びパウチ型などが挙げられる。
【０００４】
リチウム二次電池は、金属リチウムの代わりに炭素系電極を陰極として使用しながら発火爆発の危険性を大きく低減しているが、依然として、リチウムの高いエネルギー密度と非水系電解液の発火可能性とから、リチウム二次電池の生産には安全性が何よりも強調されている。
【０００５】
また、リチウム二次電池の特性上、過放電がなされると、陰極集電体といった電池構造に損傷を招き、再充電使用が難しくなるという問題がある。このような問題のために、リチウム二次電池は、通常、充放電のための電池の基本構造を有した電池本体と、過充電、過放電、過熱、及び過電流などを防止する保護回路あるいは保護装置とが結合されてなる。保護回路や保護装置は、プリント基板の形態で、あるいは、素子の形態で電池本体に物理的かつ電気的に接続されることができ、電池本体の側面、上面、及び下面などに位置することができる。
【０００６】
円筒形缶電池では、電池本体のキャップ組立体自体が過熱または過電流を防止する役目を果たすが、角形缶電池では、キャッププレート自体は、安全機能を持たない。したがって、角形缶には、特に、電池本体と別途に安全装置が結合されなければならない。角形缶の保護回路基板といった安全装置は、近年、キャッププレートの上面に結合されることが多くなっている。
【０００７】
一方、複数の電池本体が結合されてなるパック電池でも、電池本体のパック内での相互直並列連結や、保護回路との連結のために、キャップカバーのような付属品がキャッププレートの上部に結合されることができる。この時、キャップカバー自体は、安全装置ではなく、電気的連結のための連結部材であり、電池の連結形態によって多様な形態に形成され得る。キャップカバーの周辺部は、大概、樹脂材質であり、電池本体と接触する支持体あるいは結合部を形成する。キャップカバーの中心の一部には、電池本体の電極端子と接続される金属端子、保護回路端子と連結される金属端子、及びこれらの金属端子を連結させる伝導性連結部が形成され得る。あるいは、キャップカバーの中心の一部には、別途の連結部なしに金属端子が大きく形成される。
【０００８】
また、直接、保護回路がキャップ組立体の上側に装着されなくても、キャップ組立体の上側に電極端子と当接するように形成されるリード線が、他の部分でキャッププレートと当接することを防止するためのワッシャーといった電池付属品もキャップ組立体の上側に設けられる。
【０００９】
ところが、角形缶の上部を形成するキャップ組立体は、キャッププレート面の上にキャッププレートと電気的に離間された電極端子が突出して形成される。したがって、キャップ組立体の上側に電池付属品を成す構造体を安定的に装着するか、あるいは、一時的に構造体を設置した後に溶接といったより安定的な結合作業をすることは容易でないという問題点がある。さらに、キャップ組立体の周縁部には、電池付属品の定位置をガイドする手段が形成されないので、電池付属品を定位置に安着させることも容易でなく、電池付属品が定位置になければ、電池付属品と電池本体との間の電気的結合が不安定になる。また、一時的な結合段階に続き、接着及び溶接などの結合工程がある場合、その工程で電気的接続不良といった作業不良を引き起こす可能性が高くなる。
【００１０】
例えば、キャップカバーをパック電池に使う際に、電池本体のキャッププレートの上部にキャップカバーが固定されなければならない。しかしながら、キャッププレートの上部にキャップカバーを容易に固定することが難しく、パック電池の製造に不都合があった。
【００１１】
そして、ワッシャーをキャッププレートの上に安着する際に、ワッシャーを固定する部分がなく、工程中に外部衝撃によってワッシャーが容易にキャップ組立体の上部から離脱されることができた。
【発明の開示】
【発明が解決しようとする課題】
【００１２】
本発明は、上記のような問題点を解決するためのもので、電池付属品をキャッププレートの上部に安定的に設置することのできる構造を有するリチウムイオン二次電池を提供することを目的とする。
【課題を解決するための手段】
【００１３】
上記目的を達成するための本発明の一側面によれば、本発明に係るリチウムイオン二次電池は、第１の電極、第２の電極、及び当該第１の電極と第２の電極との間に介在されるセパレータが配置された電極組立体と、前記電極組立体が収容される缶と、前記缶の上部開口部に結合されるキャッププレート及び当該キャッププレートの通孔に絶縁配置された電極端子を有したキャップ組立体を含んでなる電池本体と、前記電池本体のキャップ組立体の上部に設けられる電池付属品と、を具備してなるリチウムイオン二次電池において、前記電池付属品の下端及び前記キャッププレートの上面には、それぞれ相互に対応する段差構造部及び段差部が形成されることを特徴とする。
【００１４】
例えば、キャッププレートの上面に溝部が形成されると、電池付属品の下端には、前記溝部に挟まれることができる突出部が形成され、キャッププレートの中央部が高く形成されると、中央部のすぐ外側に配置されるように、電池付属品の下端面に中央部よりも突出された部分が設けられる。これらの対応する段差部及び段差構造部は、相互に係合して、横方向への外力が作用する際に、キャッププレートの決まった位置から電池付属品が離脱することを防止する。
【００１５】
例えば、キャッププレートに溝部が設けられ、キャッププレートの上面（外面）に対向する電池付属品の下面に、溝部に密着可能に挿入され得る突起部が形成されると、横方向だけでなく、縦方向に作用する外力による電池付属品の定位置からの離脱を防止することもできる。
【００１６】
この時、電池付属品は、保護回路基板、ワッシャー、及び複数の角形缶を含んでなるパック電池のキャップカバーなどであることができる。
【００１７】
本発明において、段差部は、溝部からなることができ、段差部の位置及び大きさは、結合される電池付属品によって多様に形成されることができる。溝部を含む段差部において、周辺の高い部分と低い部分との高さの差は、キャッププレートの厚さの１０〜５０％の厚さであることができる。例えば、キャッププレートの厚さが０．８ｍｍ程度ならば、段差部の段差は、０．１〜０．４ｍｍ程であることができる。段差が小さすぎると、キャッププレートの段差部が電池付属品と係合する役目を果たしにくい。反対に、段差が大きすぎると、段差部を形成しにくくなり、段差部を溝部のような形態で形成する場合、溝部の深さが深いほど、その部分のキャッププレートが薄く形成され、二次電池の段差部でキャッププレートが破損あるいは変形されやすい。
【００１８】
段差部の形成のために、キャッププレートの形成段階において、射出、プレス工程、及び鋳造もしくはダイキャスティングなどが利用できる。プレス工程では、上面にのみ小さい突起が形成されるようにできる。また、プレス工程によれば、段差部は、キャッププレートの上面と下面とに対応する形態、例えば、上面は突出部、下面は溝部のような相補的な形態になり、段差部の断面構造がコンフォーマル（Ｃｏｎｆｏｒｍａｌ）な形態になり得る。
【００１９】
一方、鋳造を用いる場合、キャッププレートの上面にのみリブ形態で突出部が形成され、キャッププレートの下面は、平面に形成されることができる。平面状のキャッププレート上面に、電池付属品の段差構造と結合可能な形態の構造物を段差部として接着または溶接することもできる。
【００２０】
また、本発明において、段差が大きく、段差部の角部が面取りなしに形成されるほど、電池付属品が離脱される可能性は少なくなる。
【００２１】
上記目的を達成するために、本発明の他の側面において、本発明に係るリチウムイオン二次電池は、第１の電極、第２の電極、及び当該第１の電極と第２の電極との間に介在されるセパレータが配置された電極組立体と、前記電極組立体が収容される缶と、前記缶の上部開口部に結合されるキャッププレート及び当該キャッププレートの通孔に絶縁配置された一つの電極端子を有したキャップ組立体と、を含んでなるリチウムイオン二次電池において、キャッププレートの上面には、段差部が形成されることを特徴とする。
【発明の効果】
【００２２】
本発明によれば、電池本体のキャッププレートの上側に設けられる電池付属品とキャッププレートとの間に相補的な対応構造を形成して、電池付属品を電池本体に容易に結合させることができ、この結合を用いて、後工程を容易に進行することもできる。
【００２３】
そして、本発明によれば、電池付属品と電池本体とが結合された状態で、電池本体と電池付属品とが信頼性あるように結合状態を維持できるようにして、外部衝撃による接続不良といった不良を減らすことができる。
【発明を実施するための最良の形態】
【００２４】
以下、図面を参照しながら、実施の形態に基づいて本発明をより詳しく説明することにする。
【００２５】
図１は、本発明に係るリチウムイオン二次電池の一部を示す断面図である。
【００２６】
図１を参照すれば、リチウムイオン二次電池１０は、缶１１と、缶１１の内部に収容される電極組立体１２と、缶１１の上端開口部に結合されるキャップ組立体１００と、保護回路２２０と、を具備してなる。また、リチウムイオン二次電池１０には、電極端子を保護回路２２０に電気的に連結させるためのリード２００が具備され、キャップ組立体１００のキャッププレート１１０には、段差部３３０が形成される。キャッププレート１１０上側には、電池付属品（Ａｃｃｅｓｓｏｒｉｅｓ）としてワッシャー３００が位置する。
【００２７】
電極組立体１２は、第１の電極１４と第２の電極１６との間にセパレータ１５が介在されながら巻き取られて形成される。第１の電極１４は、第１の電極タップ１８を介してキャッププレート１１０に電気的に連結され、第２の電極１６は、第２の電極タップ１７を介してキャッププレート１１０に形成された第２の電極端子１２０に電気的に連結され、第２の電極端子１２０は、ガスケット１３０及び絶縁板１４０によりキャッププレート１１０と絶縁される。したがって、缶１１は、第２の電極端子１２０と電気的に絶縁され、第１の電極端子の役割を果たすようになる。
【００２８】
缶１１は、鉄材、アルミニウム、及びアルミニウム合金などで形成されることができる。缶１１は、第１の電極１４、セパレータ１５、及び第２の電極１６からなる電極組立体１２と電解液（図示せず）とを収容する容器となり、電極組立体１２が缶１１の開放された上端（上部）、すなわち、上端開口部を介して挿入された後、上端開口部は、キャップ組立体１００によって封止される。
【００２９】
キャップ組立体１００には、缶１１の上端開口部に対応する大きさと形状を有する平板型のキャッププレート１１０が具備される。キャッププレート１１０の中央部には、電極端子が通ることができるように端子通孔１１１が形成される。キャッププレート１１０の中央部を貫通する第２の電極端子１２０の外側には、第２の電極端子１２０とキャッププレート１１０との電気的絶縁のために、チューブ形状のガスケット１３０が設けられる。キャッププレート１１０の端子通孔１１１の近傍には、キャッププレート１１０の下面部に絶縁板１４０が配置されており、絶縁板１４０の下部面には、第２の電極端子１２０と通電されるターミナルプレート１５０が具備されている。
【００３０】
また、キャッププレート１１０には、耐圧が上昇して所定の圧力以上に到達すると、ガスが放出され得るようにする安全ベント１９０が形成されており、一側には、缶１１の内部に電解液を注入するための通路を提供する電解液注入孔１１２が形成されている。電解液注入孔１１２は、電解液注入栓１６０によって密閉されるようになる。
【００３１】
また、キャッププレート１１０には、ワッシャー３００を安定的に固定することのできる段差部３３０が形成されている。段差部３３０は、ワッシャー３００の段差構造部と係合してワッシャー３００の離脱を防止し、ワッシャー３００と電解液注入孔１１２との間に所定空間を維持して電池の安全性を向上させる。また、キャッププレート１１０では、電極端子とキャッププレート１１０とを絶縁させるためのチューブ形態のガスケット１３０がキャッププレート１１０上側に突出されている。
【００３２】
第２の電極１６は、第２の電極端子１２０を介してリード２００と連結され、リード２００は、保護回路２２０の基板上に半田付けされて電極組立体１２と電気的に連結される。保護回路２２０は、電極組立体１２の過充電電圧及び電流、過放電電圧及び電流、ならびにショートなどを制御し、リチウムイオン二次電池の缶１１の所定領域に設けられる。
【００３３】
ワッシャー３００は、キャッププレート１１０とリード２００とを絶縁させるために絶縁体で形成され、プレート３１０とプレート３１０の下面に取り付けられる支持体（段差構造部）３２０とを含む。支持体３２０は、スポンジのような弾力性ある物質を使用することができ、所定間隔で形成されることができる。支持体３２０は、キャッププレート１１０上に形成された段差部３３０と相補的に結合可能に形成されることが望ましい。段差部３３０と相補的に結合される支持体３２０は、外部圧力があってもワッシャープレート３１０と接する段差部３３０がワッシャー３００の支持体の役割を果たし、ワッシャー３００が定位置から離脱することを防止する。
【００３４】
図２は、複数の角形電池本体が装着されたバッテリーパックにおいて、各電池本体が相互に接続された状態を示す概略的部分平面図である。この時、断面は、キャッププレートとキャップカバー部分についてのみ表現されている。
【００３５】
図示された形態において、電池本体４１０のキャッププレート面を基準として突出された電極端子４１２には、キャップカバー４４０の対応する金属端子４４２の一部分が接するようになる。電池付属品であるキャップカバー４４０の金属端子４４２の一部分の周辺には、支持体（段差構造部）４４１がプラスチック射出物などにより形成される。キャップカバー４４０の支持体４４１は、キャッププレートにある凹部状に形成された段差部と相補的に結合される。すなわち、キャップカバー４４０の射出物の支持体４４１が突出部を形成する場合には、キャッププレートには、この突出部が挿入固定される溝部４１５が形成される。キャップカバー４４０と電池本体４１０とが相補的に結合されると、相互位置が安定した状態で、キャップカバーの金属端子４４２の一部分とキャッププレートの電極端子４１２との間の溶接などが更になされることができる。
【００３６】
なお、溝部４１５を含む段差部において、周辺の高い部分と低い部分との高さの差は、キャッププレートの厚さの１０〜５０％の厚さであることができる。例えば、キャッププレートの厚さが０．８ｍｍ程度ならば、段差部の段差は、０．１〜０．４ｍｍ程であることができる。段差が小さすぎると、キャッププレートの段差部が電池付属品と係合する役目を果たしにくい。反対に、段差が大きすぎると、段差部を形成しにくくなり、段差部を溝部のような形態で形成する場合、溝部の深さが深いほど、その部分のキャッププレートが薄く形成され、二次電池の段差部でキャッププレートが破損あるいは変形されやすい。
【００３７】
キャップカバー４４０の金属端子４４２の他の部分は、電池本体４１０間の直列連結のために、隣接した他の電池本体４１０の缶の底面４１４や、キャッププレートの一部分と接触及び溶接処理などによって結合されることができる。この時、電池本体４１０の電極端子４１２と連結されるキャップカバー４４０の金属端子４４２の一部分と、隣接した電池本体４１０のキャップの底面４１４と連結されるキャップカバー４４０の金属端子４４２の他の部分とは、一体に形成されて、直接的に連結されている。
【００３８】
パック電池４００に収容された電池本体４１０のうち、両側端に位置する電池本体４１０にのみ接続されたキャップカバーの金属端子４４３，４４５は、その一部分がパック電池４００の形態によってパック電池の保護回路４３０の端子と溶接などで連結されることができる。パック電池４００において、電池本体４１０と保護回路４３０とは、外装ケース４２０内に設けられ、外装ケース４２０に形成されたホールを介して、外部端子４３２が電池パック４００の外側に露出される。
【００３９】
このように、キャップカバーとキャッププレートとの間の相補的な対応構造は、相互に容易に結合されることができるので、キャップカバーと電池本体とを結合させる工程において、工程を容易に進行できるようになり、後続工程、例えば、溶接工程などでも、工程が容易に進行され得るようにする。そして、電池パックに装着された状態でも、電池本体と電池パックの内部のキャップカバーとを通じた連結を安定的にする働きもできる。
【００４０】
図示していないが、キャップカバーと電池本体との溶接がなされることなく、パック電池の電池本体の装着位置に金属端子が設けられた場合も考えられる。このような場合、これらの金属端子自体や金属端子の周辺の射出物の樹脂部分が電池本体のキャッププレートと相互に相補的な段差部を形成すれば、相補的な構造が、電池パックに電池本体を装着する際に定位置に装着することをより容易にする。また、このような相補的な構造は、電池パックに装着された状態で、外部衝撃によって電池本体が電池パックの定位置を逸脱することなく、安定した結合状態を維持するようにする。
【００４１】
図３ａは、本発明の第１の実施の形態によるキャッププレートを示す平面図であり、図３ｂは、本発明の第１の実施の形態によるキャッププレートを示す断面図である。図４は、本発明の第１の実施の形態による電池本体と保護回路組立体とが結合される形態を概略的に示す組立斜視図である。
【００４２】
図３ａを参照すれば、本発明に係るキャッププレート１１０には、段差部３３０が形成されており、段差部３３０は、Ｕ字形状でキャッププレート１１０の上面に形成されている。図３ｂを参照すれば、段差部３３０は、プレス加工によって形成されている。
【００４３】
なお、プレス加工によって形成される場合、段差部３３０は、キャッププレート１１０の上面にのみ小さい突起として形成されることができる。あるいは、プレス加工によって形成される場合、段差部３３０は、コンフォーマルに形成され、段差部３３０が形成されるキャッププレート１１０の上面に対応するキャッププレート１１０の下面にも、相補的な形態の下面側段差部が形成されることができる。また、段差部３３０は、鋳造またはダイキャスティング法によって形成されることもできる。この場合、段差部３３０が形成された位置におけるキャッププレート１１０の下面は、平面であることができる。
【００４４】
図４を参照すれば、電池本体５１０のキャッププレート５２０にあるＵ字状の段差部５１５に対応して段差部５１５よりもやや小さく形成され、Ｕ字状の段差部５１５に内側に挟まれるＵ字状の突出リブ（段差構造部）５３７を下面に有する保護回路組立体５３０が本発明の電池付属品として示されている。このような場合、本発明の段差構造は、電解液注入孔５１７や安全ベント５１１と、キャッププレート５２０の上に設けられる電池付属品本体との間に所定空間を形成しながら、保護回路組立体５３０のような電池付属品がキャッププレートに安定的に安着されることができるようにする。保護回路組立体５３０は、保護回路基板を含むプラスチック射出物からなることができ、保護回路基板を取り巻くプラスチック樹脂からなる板状本体５３１の下面には、Ｕ字状の突出リブ５３７からなる陽極端子と端部のプラスチックスカート部５３５とが下方に突出されている。なお、段差部５１５は、電極端子（陽極端子）として機能することができ、保護回路基板のＵ字状の突出リブ５３７と電気的に接続されることができる。
【００４５】
電池本体５１０のキャッププレート５２０から突出される陰極端子５１３と電気的に接続される保護回路組立体５３０の回路側陰極端子５３９の設置位置は、Ｕ字状の段差部５１５及びＵ字状の突出リブ５３７、ならびに端部のスカート部５３５の突出された高さを考慮して決まることができる。例えば、保護回路組立体５３０の本体５３１の下面の中央にプレート状の回路側陰極端子５３９を形成し、Ｕ字状の突出リブ５３７からなる陽極端子とキャッププレートのＵ字状の段差部５１５と端部のプラスチックスカート部５３５の突出高さを、それぞれ電池本体の陰極端子５１３のキャッププレート５２０からの突出高さと等しくすることができる。
【００４６】
また、電池本体の陰極端子５１３及びＵ字状の突出リブ５３７の保護回路組立体５３０との接触部分、例えば、段差部の内側には、接触抵抗を減らすための媒介層として、たとえば、銀を塗布またはメッキすることができ、あるいは、銀ペーストといった導電性接着剤を塗布することができる。それから、保護回路組立体５３０の端部のスカート部５３５の端部に強力な接着剤を塗布して接着させる。このような過程を経て保護回路組立体５３０と電池本体５１０を組み立てて、単純な形態のパック電池を形成することができる。保護回路組立体と電池本体とを結合した組立体にチュービング処理によって外装材（図示せず）が更に設けられることができる。
【００４７】
図５ａは、本発明の第２の実施の形態によるキャッププレートを示す平面図であり、図５ｂは、本発明の第２の実施の形態によるキャッププレートを示す断面図である。
【００４８】
図５ａ及び図３ａを参照すれば、キャッププレート１１０上に位置した段差部３３０は、Ｕ字形状でキャッププレート１１０の周縁部に沿って形成されており、段差部３３０は、キャッププレート１１０の上側に接着されて形成されている。本実施の形態では、キャッププレート１１０をプレス加工することなく、キャッププレート１１０の上側に、所定の形状に形成された部材を接着によって固定することで、容易に段差部を形成することができる。
【００４９】
図６は、本発明の第３の実施の形態によるキャッププレートを示す平面図である。
【００５０】
図６を参照すれば、段差部３３０は、キャッププレート１１０の長手方向の両端部（すなわち、矩形状のキャッププレート１１０の両側の短辺部）にコの字形状に形成されている。この段差部３３０は、キャッププレート１１０の上側に突出して設けられ、段差部３３０に対応する構造部材を下部に有する電池付属品が一方に傾くことなく、安定的にキャップ組立体１００の上に安着されるようにする。
【００５１】
図７は、本発明の第４の実施の形態によるキャッププレートを示す平面図である。
【００５２】
図７を参照すれば、段差部３３０は、キャッププレート１１０の長手方向に沿った両側端部（すなわち、矩形状のキャッププレート１１０の両側の長辺部）にＩ字形状（一文字形状）に形成されている。段差部３３０は、長手方向に沿ってキャッププレート１１０の両側端部に形成されており、電池付属品をより安定的にキャッププレート１１０の上に安着させることができる。
【００５３】
図８は、本発明の第５の実施の形態によるキャッププレートを示す平面図である。
【００５４】
図８を参照すれば、段差部３３０は、キャッププレート１１０の四隅に、Ｌ字形状に形成されている。なお、本実施の形態において、段差部３３０は、キャッププレート１１０の四隅のうち少なくとも一つの角部に形成されていればよい。
【００５５】
キャッププレート１１０に形成される段差部３３０は、プレス加工または所定形状の部材を接着する方法によって形成されることができる。段差部３３０は、電池付属品とキャッププレート１１０の上に形成された電解液注入孔１１２との間に空間を形成して、電解液注入孔１１２の上側に圧力が加えられて電解液が漏れるという問題点を防止することができる。
【００５６】
以上説明したように、本発明は、上述した特定の望ましい実施の形態に限定されるものではなく、特許請求の範囲において請求する本発明の要旨を逸脱することなく、当該発明が属する技術分野において通常の知識を持つ者なら、誰でも多様な変形の実施が可能なことは勿論であり、そのような変更は、特許請求の範囲に記載の範囲内にあることになる。
【図面の簡単な説明】
【００５７】
【図１】本発明に係るリチウムイオン二次電池の一部を示す断面図である。
【図２】複数の角形電池本体が装着されたバッテリーパックにおいて各電池本体が相互に接続された状態を示す概略的部分平面図である。
【図３ａ】本発明の第１の実施の形態によるキャッププレートの平面図である。
【図３ｂ】本発明の第１の実施形態によるキャッププレートの断面図である。
【図４】本発明の第１の実施の形態による電池本体電池と保護回路組立体とが結合される形態を概略的に示す組立斜視図である。
【図５ａ】本発明の第２の実施の形態によるキャッププレートの平面図である。
【図５ｂ】本発明の第２の実施の形態によるキャッププレートの断面図である。
【図６】本発明の第３の実施の形態によるキャッププレートの平面図である。
【図７】本発明の第４の実施の形態によるキャッププレートの平面図である。
【図８】本発明の第５の実施の形態によるキャッププレートの平面図である。
【符号の説明】
【００５８】
１１    缶、
１２    電極組立体、
１４    第１の電極、
１５    セパレータ、
１６    第２の電極、
１７    第２の電極タップ、
１８    第１の電極タップ、
１１０，５２０    キャッププレート、
１２０    第２の電極端子、
１３０    ガスケット、
１４０    絶縁板、
１５０    ターミナルプレート、
３３０    段差部、
５１０    電池本体、
５１１    安全ベント、
５１５    Ｕ字状の段差部、
５１７    電解液注入孔、
５３０    保護回路組立体、
５３５    端部のプラスチックスカート部、
５３７    Ｕ字状の突出リブ。
【図１】
2006120638.tif 000003
【図２】
2006120638.tif 000004
【図３ａ】
2006120638.tif 000005
【図３ｂ】
2006120638.tif 000006
【図４】
2006120638.tif 000007
【図５ａ】
2006120638.tif 000008
【図５ｂ】
2006120638.tif 000009
【図６】
2006120638.tif 000010
【図７】
2006120638.tif 000011
【図８】
2006120638.tif 000012